(57)【要約】      （修正有）【課題】保温性を有し、また、緊急避難時の扱いが容易で、屋外で使用して降雨等により濡れても損傷が少なく、本保護シートを持ち出すだけで緊急避難時に必要な情報も携帯可能な身体保護シートを提供する。【解決手段】セル１１１の径が１００μｍを超えない独立気泡発泡体からなるシートの一方の面１１に印刷が施され、他方の面にはアルミニウム箔１２が接合されてなる身体保護シート１０。【選択図】  図３
0003185922.tif 000002
【実用新案登録請求の範囲】
【請求項１】
セルの径が１００μｍを超えない独立気泡発泡体からなるシートの一方の面に印刷が施され、他方の面にはアルミニウム箔が接合されてなる身体保護シート。
【請求項２】
前記印刷は地図情報に関し、該地図情報に含まれる文字の最小のフォントサイズが２ポイントであることを特徴とする請求項１に記載の身体保護シート。
【請求項３】
前記地図情報は、ハザードマップ、避難所マップ、災害時の行動手順、官公庁や自治体の連絡先、災害用伝言ダイヤル操作方法、救出救助方法、応急措置方法の中から選択される１または複数の組合せを含むことを特徴とする請求項２に記載の身体保護シート。
【請求項４】
前記一方の面は、前記セル構造が裁断されてセル断面が露出された面であることを特徴とする請求項１乃至３のいずれかに記載の身体保護シート。
【請求項５】
前記印刷にインクジェット方式が用いられることを特徴とする請求項１乃至４のいずれかに記載の身体保護シート。
【請求項６】
前記セルは、超臨界発泡法により得られることを特徴とする請求項１乃至５のいずれかに記載の身体保護シート。
【考案の詳細な説明】
【技術分野】
【０００１】
本考案は、身体保護シートに関し、特に印刷が施された身体保護シートに関する。
【背景技術】
【０００２】
従来から、災害が発生した場合に緊急避難する時に、全身を保護するために身体を覆うことができる身体保護シートや防災用具が知られている。例えば、特許文献１では、耐炎性、保温性、防水性を有するシート表面の上下端及び左右端にそれぞれファスナー等の開閉具を設け着脱自在とし、着用方法をわかりやすくするために、シートの裏面に着用の位置を示す人の姿図を印した防災用具を開示している。また、表地には着用者を識別できる町名、住所、氏名等を記入する目印が設けられている。裏地の素材には、防災繊維又は防炎処理を施した生地にアルミ粉末ゴムをコーティングした布地を採用している。
【０００３】
また、特許文献２では、矩形の外套パターンの中央に一つの円孔及び四つのサイドエッジが設けられ、アルミニウム箔で製作された折り畳み式の防火用の外套を開示している。
【先行技術文献】
【特許文献】
【０００４】
【特許文献１】特開平１０−２４８９５０号公報
【特許文献２】登録実用新案公報 第３０２０９２０号
【考案の概要】
【考案が解決しようとする課題】
【０００５】
ところで、防災対策として緊急災害に備えた事前の情報整備が進められており、行政庁では、ハザードマップ等の作成とその事前配付が行われている。ハザードマップは、予測される災害の発生地点、被害の拡大範囲および被害程度、さらには避難経路、避難場所、医療機関等の所在などの情報が図示されており、災害および二次災害による被害の低減に有効とされている。
【０００６】
上記ハザードマップ等に開示されている情報は、通常、紙等の媒体で提供されるのが一般的である。ところが、災害時において、かかる情報が紙等の媒体に印刷されていては、避難時にポケット等に入れて持ち出す必要がある一方、屋外で繰返しポケット等から取り出し、マップを見たのち収納し、折りたたみを繰り返すことも想定され、降雨等により紙等の媒体が濡れた場合には、用をなさないことも想定される。
【０００７】
そこで、本考案の課題は、保温性を有する防災時に使用される身体保護シートであって、緊急避難時の扱いが容易で、屋外で使用して降雨等により濡れても損傷が少なく、本保護シートを持ち出すだけで緊急避難時に必要な情報も携帯可能な身体保護シートを提供することである。
【課題を解決するための手段】
【０００８】
上記課題を解決するために、セルの径が１００μｍを超えない独立気泡発泡体からなるシートの一方の面に印刷が施され、他方の面にはアルミニウム箔が接合されてなる身体保護シートが提供される。
これによれば、セル径が１００μｍを超えない独立気泡を有するシートを使用することにより、微細な印刷を施すことが可能である。また、独立気泡からなるシートの他面にアルミニウム箔を接合し熱を遮蔽することによって、保温性を有する緊急避難時の身体保護シートとして使用できる。また、一方が独立気泡発泡体、他方がアルミニウム箔からなるシートなので屋外で使用して降雨等により濡れても損傷が少ない。
【０００９】
さらに、印刷は地図情報に関し、その地図情報に含まれる文字の最小のフォントサイズが２ポイントであることを特徴としてもよい。
これによれば、セル径が１００μｍを超えない独立気泡を有するシートに対して、地図情報やそれに付随する文字を微細に印刷することが可能であり、詳細な情報を多量にしかも鮮明に印刷することができ、限られた面積に多くの情報が記載できる。
【００１０】
さらに、地図情報は、ハザードマップ、避難所マップ、災害時の行動手順、官公庁や自治体の連絡先、災害用伝言ダイヤル操作方法、救出救助方法、応急措置方法の中から選択される１または複数の組合せを含むことを特徴としてもよい。
これによれば、シートの一面に施される印刷をハザードマップ等とすることで、緊急避難時に必要な事前情報が記載され、本身体保護シートを持ち出すだけで緊急避難時に必要な情報も携帯可能の身体保護シートを提供することができる。
【００１１】
さらに、一方の面は、セル構造が裁断されてセル断面が露出された面であることを特徴としてもよい。
これによれば、セル径が１００μｍを超えない独立気泡構造のセルであることから、印刷面にセル膜が露出した表面であっても、微細な印字が可能である。本考案に使用される発泡体は、押出し成形等により製造される。押出し成形により口金から排出、成形されるシート表面は、口金と接触することでシート内深部よりも冷やされ、スキン層といわれる無発泡に近い表皮層が形成される。このスキン層に印刷することも可能である一方、成形された樹脂発泡体を剥いでセル断面を表面とし印刷することも可能である。樹脂発泡体を剥いで得られる表面は、気泡（セル）断面が並んだ構造となるとともに、独立気泡であることからセル膜を凹部とする微細な凹凸構造となっている。
【００１２】
さらに、印刷にインクジェット方式が用いられることを特徴としてもよい。
これによれば、スキン層に印刷可能であることは言うまでも無く、セル構造が裁断され、セル断面が露出された面であっても、該セルの凹部内壁面にインクが付着し、発泡体内深部に浸透することがないため、インクを無駄にすることもなく、鮮明な印刷が可能となる。
【００１３】
さらに、セルは、超臨界発泡法により得られることを特徴としてもよい。
これによれば、化学発泡剤を使用することなく、二酸化炭素や窒素等の不活性ガスを発泡剤として使用する超臨界発泡法により成形されるため、セル径が均一微細に形成されるので、微細な印刷が可能となるとともに保温性を有する独立気泡構造からなる身体保護シートを提供できる。
【考案の効果】
【００１４】
以上説明したように、本考案によれば、保温性を有する防災時に使用される身体保護シートであって、緊急避難時の扱いが容易で、屋外で使用して降雨等により濡れても損傷が少なく、本保護シートを持ち出すだけで緊急避難時に必要な情報も携帯可能な身体保護シートを提供することができる。
【図面の簡単な説明】
【００１５】
【図１】本考案に係る実施例の身体保護シートを構成する独立気泡発泡体からなるシートの断面図。
【図２】本考案に係る実施例の身体保護シートの、（Ａ）平面図（印刷面）、（Ｂ）背面図（アルミニウム箔面）。
【図３】本考案に係る実施例の身体保護シートの断面図（図２のＩ−Ｉ断面における）。
【考案を実施するための形態】
【００１６】
以下では、本考案について詳細に説明する。
本考案に係る身体保護シートは、独立気泡発泡体からなるシートから構成される。この発泡体の原材料となる樹脂は、熱可塑性エラストマーや各種熱可塑性樹脂がコンパウンドされた樹脂組成物等が挙げられ、具体的には、例えば、ポリオレフィン系熱可塑性エラストマー、ポリスチレン系熱可塑性エラストマー、ポリウレタン系熱可塑性エラストマー等である。特に、汎用的に用いられ撥水性があり耐久性、成形性から、ポリオレフィン系であることが好ましい。
【００１７】
図１を参照しながら、本発泡体について説明する。本発泡体１００は、その内部に複数のセル１１１を有する。ここでいう「セル」とは、発泡剤を添加して樹脂組成物を発泡させる際にできた独立気泡（空隙部分）である。
【００１８】
本発泡体１００は、独立気泡のセル１１１から構成されることで保温性を有するので、使用者は温かさを感じ、緊急避難時の身体保護シートとして適しており、発泡体のセル径を小さくするほど、熱伝導率を低くすることができる。本発泡体の熱伝導率は、ＪＩＳ−Ａ１４１２−２に準拠した場合、０．０５０Ｗ／ｍ・Ｋ以下であることが好ましい。測定方法は、試験片寸法２００ｍｍ×２００ｍｍの平面サンプルを積層させ、概ね２０ｍｍ程度の厚みとしたサンプルをＪＩＳ−Ａ１４１２−２熱流計法（ＨＦＭ法）で測定する。なお、この測定は、英弘精機（株）製の熱伝導率測定装置ＨＣ−０７２型を用いる。
【００１９】
また、本発泡体１００の密度は、２０ｋｇ／ｍ3以上７０ｋｇ／ｍ3以下であることが好ましく、３０ｋｇ／ｍ3以上７０ｋｇ／ｍ3以下であることがより好ましく、３５ｋｇ／ｍ3以上７０ｋｇ／ｍ3以下であることが更に好ましい。密度を上記範囲とすることで、本発泡体を高発泡（概ね発泡倍率が１５倍以上）とすることができる。なお、発泡体の密度は、ＪＩＳ−Ｋ７１１２に準拠した水中置換法で、ミラージュ貿易（株）製の電子比重計ＭＤ−２００Ｓを用いて測定される。
【００２０】
本考案に係る身体保護シートは、セルの径が１００μｍを超えない発泡体からなるシートから構成される。セル１１１の細かさ（分布）は、以下の指標を用いて評価する。発泡体１００の表層（スキン層）をスライサー等で剥いで分離した断面（セル断面）において、５００μｍ角の正方形（以下、「仮想枠」）が形成されるように長さ５００μｍの任意の仮想直線を４本引き、形成された仮想枠内に含まれる全てのセル１１１のうち１００μｍ以下のセル径を有するセル１１１の存在率が８０％以上であることが好ましく、９０％以上であることがより好ましく、９５％以上であることが更に好ましく、９８％以上が特に好ましい。
【００２１】
１００μｍ以下のセル径を有するセル１１１の存在率がこの範囲であるということは、発泡体１００内にセル１１１がきめ細かく形成されていることを意味する。従って、１００μｍ以下のセル径を有するセル１１１の存在率をこの範囲に設定することで、断熱性をより高くすることができるとともに、印刷の鮮明性を向上させることができる。尚、１００μｍ以下のセル径を有するセル１１１の存在率の上限値は特に規定するものではなく、１００％、すなわち、仮想枠内に含まれるセル１１１の全てが１００μｍ以下のセル径を有するものであってもよい。セル径は、１００〜５０μｍ、好ましくは８０〜５０μｍ、さらに好ましくは７０〜６０μｍである。このように、セル径が１００μｍを超えない独立気泡を有するシートを使用することにより、保温性を高くし、微細な印刷を施すことが可能である。
【００２２】
１００μｍ以下のセル径を有するセル１１１の存在率は、以下のようにして測定することができる。まず、発泡体１００の表層つまりスキン層をスライサー等を用いて裁断する。次いで、裁断後の発泡体１００のセル断面を電子顕微鏡（キーエンス(株)社製  マイクロスコープＶＨＸ−Ｄ５１０）を用いて写真撮影し、この撮影画像のコントラストを調整し、最も鮮明な画像に対して、５００μｍ角の正方形（仮想枠）が形成されるように長さ５００μｍの任意の仮想直線を４本引く。そして、形成された仮想枠内に少なくとも一部が含まれるセル１１１の数及び各セル１１１のセル径を計測し、この計測結果から、１００μｍ以下のセル径を有するセル１１１の数を仮想枠内に含まれる全てのセル１１１の数で除することによって、１００μｍ以下のセル径を有するセル１１１の存在率を算出することができる。なお、セル１１１のセル径として、セル１１１の最大径の値を採用することとする。
【００２３】
発泡体１００は、シート状の形状を有しており、その少なくとも一方の面に外部に露出したセル断面１２０を有する。ここでいう「セル断面」とは、発泡体１００の少なくとも一方の面の表層が裁断、切断又は剥離等されることで、発泡体１００内部のセル１１１の内壁が外部に露出される部位であって、発泡体１００の少なくとも一方の表面に形成されるセル１１１由来の凹部１２１のことをいう。発泡体１００のシートの厚さは特に限定されないが、おおよそ０．１〜３ｍｍである。
【００２４】
発泡体１００を得るための方法は、化学発泡剤の配合による方法や、発泡剤として含浸させた窒素やＣＯ2など超臨界不活性ガスに浸漬して除圧後発泡させる超臨界発泡による方法などが挙げられるが、発泡体中の気泡のサイズをより微細にするために超臨界発泡法が好ましい。超臨界発泡法は、温度および圧力が臨界点を超えた状態（超臨界状態）のガスを樹脂に溶解させて押出成型または射出成形する方法であり、微細な泡を均一に分散することが可能となる。化学反応によってガスを発生させる必要が無いため、低ＶＯＣで環境等に対して非常にクリーンであると共に、身体に直接触れる部材でも安心して使用できる。また化学反応により発泡させる製法では、セル径が約３００μｍ以上と比較的大きくかつバラつくのに比べ、超臨界発泡法によれば非常に均一微細なセル構造を形成する事ができ、ポイントの低い細かい文字や細部まで鮮明な画像を印刷できるとともに高い保温性を有するシートとすることができる。また、かかる均一微細な気泡とすることで、シート表面に低反射、発色性、好触感、深みなどを与えることができる。
【００２５】
身体保護シートは、上述したシートの一方の面に印刷が施され、他方の面にはアルミニウム箔が接合されてなる。シートの面は、成形された発泡体表層付近にセルの観察されない層即ちスキン層１３０と、その表層を裁断等し、セル１１１の内壁が外部に露出され、セル構造が裁断されてセル断面１２０が露出された面の２種類有りうる。印刷が施される面は、この２つの面のいずれであってもよい。スキン層１３０のある面は、表面が平滑で光に反射することから、印刷画像に光沢が出て、ツヤのある強い質感の映像表現が可能となる。一方、セル断面１２０が露出された面は、表面に多孔質の凹凸があることで、印刷画像に光沢がなく、マットな質感の映像表現が可能となる。
【００２６】
印刷が施される面が、セル構造が裁断されてセル断面１２０が露出された面である場合、セル径が１００μｍを超えない独立気泡構造のセルであることから、微細な印字が可能である。本考案に使用される発泡体は、押出し成形もしくは射出成形により製造されることから、金型キャビティと接触して成形される樹脂発泡体は、スキン層１３０といわれる無発泡に近い表皮層が形成される。
【００２７】
印刷は、インクジェット方式、グラビア方式、スクリーン方式、スタンプ方式などで行うことができ、特に限定されないが、インクジェット方式が好ましい。これによれば、スキン層１３０に印刷可能であることは言うまでも無く、セル構造が裁断され、セル断面１２０が露出された面であっても、該セルの凹部内壁面にインクが付着し、発泡体内深部に浸透することがないため、インクを無駄にすることもなく、鮮明な印刷が可能となる。インクジェット方式である場合、インクは紫外線硬化型のインクであることが好ましい。紫外線を照射するとほぼ瞬時に硬化することから、速乾性が得られる。
【００２８】
身体保護シートの印刷が施された反対の面には、アルミニウム箔が接合されている。発泡体とアルミニウム箔の接合の方法は、特に限定されないが、例えばアルミニウム蒸着により発泡体にアルミニウムを蒸着させることで、発泡体の一面にアルミニウム箔が形成され、結果として発泡体にアルミニウム箔が接合されていればよい。あるいは、アルミ蒸着フィルムに本願発明の発泡体を熱ラミネーション、接着ラミネーション等により積層接合してもよい。上記アルミ蒸着フィルムの基材として、ＰＥＴ、ＰＥＮ、ＰＶＣ、ＰＯ等が用いられる。アルミニウム箔の厚みは、特に限定されないが、一般的には、０．００６ｍｍ〜０．２ｍｍ程度である。
【００２９】
上述したシートからなる身体保護シートは、セル径が１００μｍを超えない独立気泡を有するシートを使用することにより、微細な印刷を施すことが可能である。また、独立気泡からなるシートの他面にアルミニウム箔を接合し熱を遮蔽することによって、高い保温性を有する緊急避難時の身体保護シートとして使用できる。また、一方が独立気泡発泡体、他方がアルミニウム箔からなるシートなので屋外で使用して降雨等により濡れても損傷が少ない。
【００３０】  図２および３を参照し、身体保護シート１０を説明する。身体保護シート１０は、セルの径が１００μｍを超えないセル１１１の独立気泡から構成される発泡体１００からなるシートにより構成される。そして、その一方の面１１に印刷が施され、セル断面の凹部にインクジェットで印刷されたインク１３が付着している。また、その他方の面にはアルミニウム箔１２が接合されている。身体保護シート１０の外形は矩形であるが、これに限定されず、身体を覆るよう適宜成形される。なお、身体保護シート１０を構成するシート状の発泡体１００は、（公序良俗違反につき、不掲載）、およそ１００μｍ以下で分布するセル径を有し、片面のスキン層が剥がされた厚さ１．５ｍｍのオレフィン樹脂発泡体を使用することが好ましい。なお、本発泡体については、特願２０１３−７０４２５号を参照するとよい。
【００３１】
身体保護シート１０の印刷面１１における印刷内容は地図情報に関し、その地図情報に含まれる文字の最小のフォントサイズが２ポイントである。セル径が１００μｍを超えない独立気泡を有するシートに対して、地図情報やそれに付随する文字を微細に印刷しても、詳細な情報を多量にしかも鮮明に印刷することができ、限られた面積に多くの情報が記載できる。身体保護シート１０は、セル構造が裁断されてセル断面が露出された面１２０を印刷面１１としているが、もちろんスキン層に印刷されてもよい。
【００３２】
これらの地図情報は、避難所マップ１１ａ、応急措置方法１１ｂ、ハザードマップ１１ｃ、官公庁や自治体の連絡先１１ｄを含んでいる。これによれば、シートの一面に施される印刷をハザードマップ等とすることで、緊急避難時に必要な事前情報が記載され、本身体保護シートを持ち出すだけで緊急避難時に必要な情報も携帯可能の身体保護シートを提供することができる。特に、これらに類する防災関係情報は、通常時にはＷＥＢ等に掲載され容易に閲覧することが可能だが、災害等の緊急時には停電等でＴＶ、ＰＣ等からの情報入手ができなくなる。身体保護シート１０は、これらの情報を保温性のあるシートとして常備しておくことで、使用者に緊急時に必要な情報を提供することができる。
【００３３】
身体保護シート１０の、印刷面１１の裏面に接合されたアルミニウム箔１２は、あらかじめ用意されたアルミニウム蒸着樹脂フィルムを、上記発泡体にラミネートすることにより得られる。上記アルミニウム蒸着フィルムの厚みは、０．３〜１．１ｍｍであり、実施品では０．６ｍｍ品を用いた。これにより、高い保温性を有すると共に、屋外などで使用し降雨等により濡れても損傷の少ない身体保護シートを提供することができる。
【００３４】
なお、本考案は、例示した実施例に限定するものではなく、実用新案登録請求の範囲の各項に記載された内容から逸脱しない範囲の構成による実施が可能である。すなわち、本考案は、主に特定の実施形態に関して特に図示され、かつ説明されているが、本考案の技術的思想および目的の範囲から逸脱することなく、以上述べた実施形態に対し、原料、材料、数量、その他の詳細な構成において、当業者が様々な変形を加えることができるものである。
【符号の説明】
【００３５】
１０    身体保護シート
１１    印刷面
１１ａ  避難所マップ
１１ｂ  応急措置方法
１１ｃ  ハザードマップ
１１ｄ  官公庁や自治体の連絡先
１２    アルミニウム箔
１３    印刷されたインク
１００  発泡体
１１１  セル
１２０  セル断面
１２１  凹部
１３０  スキン層
【図１】
0003185922.tif 000003
【図２】
0003185922.tif 000004
【図３】
0003185922.tif 000005
【手続補正書】
【提出日】平成25年7月8日(2013.7.8)
【手続補正１】
【補正対象書類名】明細書
【補正対象項目名】００３０
【補正方法】変更
【補正の内容】
【００３０】
図２および３を参照し、身体保護シート１０を説明する。身体保護シート１０は、セルの径が１００μｍを超えないセル１１１の独立気泡から構成される発泡体１００からなるシートにより構成される。そして、その一方の面１１に印刷が施され、セル断面の凹部にインクジェットで印刷されたインク１３が付着している。また、その他方の面にはアルミニウム箔１２が接合されている。身体保護シート１０の外形は矩形であるが、これに限定されず、身体を覆るよう適宜成形される。なお、身体保護シート１０を構成するシート状の発泡体１００は、およそ１００μｍ以下で分布するセル径を有し、片面のスキン層が剥がされた厚さ１．５ｍｍのオレフィン樹脂発泡体を使用することが好ましい。なお、本発泡体については、特願２０１３−７０４２５号を参照するとよい。